(57)【要約】      （修正有）【課題】ゴルフ場までの一般道路や高速道路、及びゴルフ場内に設置した走行路を単一の車両で走行させてゴルフプレイヤーがプレイするときのみ車両から降車することのできる利便性の高いゴルフカート兼用自動車を提供する。【解決手段】乗員室の後方外面１６に車体の略幅長Ｌの無天井空間を形成し、車体の最後方部１５ａの両端にゴルフプレイ具又は傘を収容する収納ケースを支持・固定する複数個の支持部材１７〜１９を架設する。支持部材はアルミニウム、鉄又は樹脂で構成され、断面が管状、円筒状又は角状である。長尺な平板状でもよい。また複数個必要とせず単一のものであってもよく、車体に設置する前に予め複数個の支持部材を略Ｕ字状枠体２０に設置・固定した構成体とし、これを車体の最後方部に嵌込み固定することもできる。この略Ｕ字状枠体も支持部材と同材質で構成する。【選択図】図２
0003188177.tif 000002
【実用新案登録請求の範囲】
【請求項１】
運転室及び該運転室の後方に設置された乗員室で密閉状の車体を構成してなり、該乗員室の後方外面に略車体幅長の無天井空間を形成したゴルフカート兼用自動車であって、前記無天井空間に於ける最後方部の車体の両端に所望数個かつゴルフプレイ具又は傘を収容する収納ケースを支持・固定する支持部材を架設し、該所望数個の支持部材の最上段の上方にゴルフバッグ収納支持部材を固定し、前記乗員室の後方外面の頂上部位に雨除け具支持部材を固定し、該雨除け具支持部材に該雨除け具を開閉自在に吊下げたことを特徴とするゴルフカート兼用自動車。
【請求項２】
前記収容ケースを支持・固定する支持部材又はゴルフバッグ収納支持部材にゴルフプレイ要品収納容器を吊下げたことを特徴とする請求項１に記載のゴルフカート兼用自動車。
【考案の詳細な説明】
【技術分野】
【０００１】
本考案は、ゴルフ場を走行する自動車であって、該自動車がゴルフカートの役割を備えたゴルフカート兼用自動車に関する。
【背景技術】
【０００２】
この種、従来の技術に於けるゴルフカートの例としては特開平５−１１９８３１号公開特許公報に開示する図５に示す技術がある。これについて説明すれば、１はゴルフカート本体で、該ゴルフカート本体１は、車体前後方向に延びた一対のシャーシと、該シャーシの後方に設けたモータによって回転駆動する左側駆動輪２及び右側駆動輪７と、前記シャーシの前方には操舵輪（図示せず）が設けてあり、該操舵輪の方向によって走行方向が決定される。また、３は前記本体１前方に設けられたゴルフバッグ４を載置する載置台である。更に、５は前記本体１を後述する誘導線に沿って走行させる自動のモード、又は手動によって走行させる手動のモードに切り替えるための操作パネルであり、該操作パネル５は走行スピードを希望のスピードに変えたり、手動モード時に左右にハンドル操作することもできる。この時の手動モードというのは、前記操作パネル５によって誘導線とは関係なく前記ゴルフカート本体１を走行させることで、自動モードというのは誘導線に従って前記ゴルフカート本体１を自動走行させることである。
６は前記シャーシ及び駆動輪２，７と操舵輪の上部を覆った車体カバー、８はバッテリの交換、メンテナンス等のときに開閉できる扉であってバッテリカバーである。
【先行技術文献】
【特許文献】
【０００３】
【特許文献１】特開平５−１１９８３１号公開特許公報
【考案の開示】
【考案が解決しようとする課題】
【０００４】
従来の技術は叙上した構成、作用であるので次の課題が存在した。
すなわち、従来の当該ゴルフカート本体１は専用車両としてゴルフプレイヤー等がゴルフ場内を走行させてゴルフ球の比較的近いところまで運転してプレイするための車両であって、通常の道路では走行できない仕様となっている。従って一般的にゴルフプレイヤー等が当該ゴルフ場に来場するためには別の乗用自動車を運転するかバスや電車の交通機関を利用する必要があった。また、特に都心に比較的近いゴルフ場等では占有面積が小さいことに鑑みゴルフ場に来場するゴルフプレイヤーが使用する乗用自動車を駐車させるスペースが不足するという問題点があった。
また従来のゴルフカート本体１は運転席が密閉されておらず青天井つまり車体外部に屋根が存在せずまた開放形式であるためゴルフ場内でゴルフプレイヤーや運転席は風雨に露され、プレイの中止が余儀なくされるばかりかゴルフ場内の寒暖の差が大きい気温条件下及び運転席等も気温条件に影響されゴルフプレイヤーが円滑かつ快適にプレイできないという問題点があった。
【課題を解決するための手段】
【０００５】
本考案はかかる問題点を解決するために考案したものである。そして、ゴルフプレイヤー等は例えば自宅から一般道路や高速道路でゴルフ場まで及びゴルフ場内に設置した走行路を単一の車両で走行させてゴルフプレイヤーがプレイするときのみ車両から降車することのできる利便性の高いゴルフカート兼用自動車を提供することを目的としたものであって、次の構成・手段から成立する。
すなわち請求項１記載の考案によれば、運転室及び該運転室の後方に設置された乗員室で密閉状の車体を構成してなり、該乗員室の後方外面に略車体幅長の無天井空間を形成したゴルフカート兼用自動車であって、前記無天井空間に於ける最後方部の車体の両端に所望数個かつゴルフプレイ具又は傘を収容する収納ケースを支持・固定する支持部材を架設し、該所望数個の支持部材の最上段の上方にゴルフバッグ収納支持部材を固定し、前記乗員室の後方外面の頂上部位に雨除け具支持部材を固定し、該雨除け具支持部材に該雨除け具を開閉自在に吊下げたことを特徴とする。
【０００６】
請求項２記載の考案によれば、請求項１に記載のゴルフカート兼用自動車であって前記収容ケースを支持・固定する支持部材又はゴルフバッグ収納支持部材にゴルフプレイ要品収納容器を吊下げたことを特徴とする。
【考案の効果】
【０００７】
本考案に係るゴルフカート兼用自動車は叙上の構成を有するので、次の効果がある。
すなわち、請求項１に記載の考案によれば、運転室及び該運転室の後方に設置された乗員室で密閉状の車体を構成してなり、該乗員室の後方外面に略車体幅長の無天井空間を形成したゴルフカート兼用自動車であって、前記無天井空間に於ける最後方部の車体の両端に所望数個かつゴルフプレイ具又は傘を収容する収納ケースを支持・固定する支持部材を架設し、該所望数個の支持部材の最上段の上方にゴルフバッグ収納支持部材を固定し、前記乗員室の後方外面の頂上部位に雨除け具支持部材を固定し、該雨除け具支持部材に該雨除け具を開閉自在に吊下げたことを特徴とするゴルフカート兼用自動車を提供する。
このような構成としたので、ゴルフプレイヤー等はゴルフ場へ行く際、単一の車両つまり当該ゴルフカート兼用自動車で自宅からゴルフ場まで、さらに当該ゴルフカート兼用自動車でゴルフ場内を走行しながらプレイすることができ、しかも従来のゴルフカートと比較し大型な当該ゴルフカート兼用自動車を構成でき、多数のゴルフプレイヤーを一緒に乗員させることができ、経済的な効果があるうえにゴルフ場内の駐車スペースを大幅に削減できる効果がある。
また、当該ゴルフカート兼用自動車の乗員室の後方外面即ち車体の後方部に無天井空間を形成すると共にゴルフバッグ収納支持部材やゴルフプレイ具等を収納する収納ケースを支持・固定する支持部材を架設したので、プレイするときゴルフプレイヤーが必要とする道具や荷物等容易に積込み、かつそのままの状態でゴルフプレイヤーはゴルフプレイ出来るという利便性が高いという効果がある。
また、当該ゴルフカート兼用自動車及び運転室は車体のドアを介して密閉されており、車体内に空調機を設備することができ、ゴルフプレイヤーはゴルフ球を打つゴルフプレイヤー以外は当該ゴルフカート兼用自動車内で待機可能であり、殊に風雨の激しいときや天候が著しい寒暖時に於いても快適に過ごすことができるという効果がある。
さらに、雨天時にゴルフプレイするときは雨除け具を開放して吊下げ、ゴルフ道具やゴルフ要品を被包して容易に保護することができるという効果がある。
【０００８】
請求項２に記載の考案によれば、請求項１に記載のゴルフカート兼用自動車であって、前記収容ケースを支持・固定する支持部材又はゴルフバッグ収納支持部材にゴルフプレイ要品収納容器を吊下げたことを特徴とするゴルフカート兼用自動車を提供する。
このような構成としたので、請求項１に記載の効果に加えて、ゴルフプレイヤーがプレイするとき必要とする砂、スコップ、ブラシ又は水や小物等を収納するゴルフプレイ要品収納容器をゴルフバッグ収納支持部材等に吊下げたので、プレイ中に必要に応じてそれらを直ちに取出すことができ又紛失の惧れがないという効果がある。
【図面の簡単な説明】
【０００９】
【図１】本考案に係るゴルフカート兼用自動車の全体構成の一例を示す側面図である。
【図２】図１に示すゴルフカート兼用自動車の背面図である。
【図３】図１に示すゴルフカート兼用自動車であって雨除け具を開放してゴルフカート兼用自動車の無天井空間を被覆した状態を示す側面図である。
【図４】本考案に係るゴルフカート兼用自動車に於いて密閉状の車体内部の一部を切断した側面図である。
【図５】従来の技術に於けるゴルフカートの一例を示す斜視図である。
【考案を実施するための形態】
【００１０】
以下、本考案に係るゴルフカート兼用自動車に於ける実施の形態について図１ないし図４に基づき詳細に説明する。
９は本考案に係るゴルフカート兼用自動車であって大概して運転室１０と該運転室１０の後方に設置された乗員室１１と該乗員室１１の後方外面に略車体幅長の無天井空間１２とを有している。
【００１１】
１３はゴルフカート兼用自動車９の前方のドアであって、ドライバーやその他乗員等の補助者がゴルフカート兼用自動車９に出入するためにある。１４はゴルフカート兼用自動車の後方のドアであって、乗員が出入するためにある。前記前方のドア１３及び前記後方のドア１４を閉止することによりゴルフカート兼用自動車９の車体１５が密閉状に構成され該車体１５内に空調機を設置すればドライバーや乗員は快適にしてドライブやゴルフ場内を走行させることができる。
【００１２】
尚、前記運転室１０と乗員室１１はいわゆるワンボックスカーとして一つの室又は部屋に構成してもよい。
【００１３】
本考案に係るゴルフカート兼用自動車９に於いて、図２に示すように乗員室１１の後方外面（外壁面）１６には車体１５の略幅長Ｌの無天井空間１２を形成してあり、該車体１５の最後方部１５ａ，１５ａの両端に複数個の支持部材１７ないし１９を架設している。該支持部材１７ないし１９は例えばアルミニウム、鉄又は樹脂等の材料で構成される断面が管状、円筒状又は角状等でなる。そして比較的長尺な支持部材で構成されるが平板状でもよい。また前記支持部材１７ないし１９必ずしも複数個必要とせず単一のものであってもよく、そして図２に示すように該車体１５の最後方部１５ａ，１５ａの内壁に沿って例えば略Ｕ字状枠体２０を固定設置する。また、該略Ｕ字状枠体２０を車体１５に設置する前に予め複数個の支持部材１７ないし１９を当該略Ｕ字状枠体２０に設置・固定した構成体と成しこれを車体１５の最後方部１５ａ，１５ａに嵌込みかつ固定することもできる。そして、該略Ｕ字状枠体２０も前記支持部材１７ないし１９と同材質で構成する。
【００１４】
図２に示す前記支持部材は例えば最下段に支持部材１７、中段に支持部材１８、最上段に支持部材１９で構成する。該最上段の支持部材１９の上方にはゴルフバッグ収納支持部材２１を配置する。該ゴルフバッグ収納支持部材２１は２個又は複数個の支持棒３３で固定され、該支持棒３３は支持部材１９に係止している。そして例えば前述した支持部材１７ないし１９と同材質かつ略同形状で構成してもよい。複数のゴルフバッグ２２を載置・固定することからその上面２１ａは平面状に成形することが望ましい。ここで該ゴルフバッグ２２は図２では２個配置しているがゴルフプレイヤーの人数に相応してゴルフバッグ収納支持部材２１に載置・固定し、ゴルフプレイ具としてのドライバー２６やアイアン等を収納する。
【００１５】
前記ゴルフバッグ収納支持部材２１の両端部分は円弧状に上方に湾曲部２１ｂ，２１ｂを形成してある。このように構成したので走行時に於いて車体１５が揺れかつ震動してもゴルフバッグ２２が脱落することはない。
【００１６】
前記支持部材１７ないし１９のいずれかに図２に示す例では支持部材１８に例えば円筒状の雨傘入れ収納ケース２３及びゴルフプレイ具例えばパター（図示せず）等を収納するゴルフプレイ具収容ケース２４を載置する。また該収容ケース２３，２４は保持具２３ａ，２４ａで緊縛支持され最上段の支持部材１９により係止金具１９ａ，１９ｂや該収容ケース２３，２４の内壁にビス等で最上段の支持部材１９に吊下げ固定する。尚収納ケース２３は雨傘以外に池に落下したボールや芝生に飛球したゴルフボールを取出すためのボールピッカー２５を収納している。
【００１７】
また、前記ゴルフバッグ収納支持部材２１は単一又は複数個のゴルフバッグ２２を縛るための布や皮材等でなる縛部材２７を固定してある。図中２８は例えば矩形状の収容ケースであって、車体１５の後部の内壁面に固定され、タオル等を収納しておりゴルフ球やプレイ具の汚れを払拭する。
【００１８】
また、車体１５の最後方部１５ａ，１５ａの上面及び乗員室１１の外壁面１６には略Ｌ字状の枠体２９，２９をそれぞれ２つのブラケット２９ａ，２９ａ等で固定している。また該乗員室１１の後方外面（外壁面）１６の頂上部位には図１、図２に示すように雨除け具支持部材３０を固定している。該雨除け具支持部材３０の適宜箇所少なくとも２箇所に布又は皮材等でなる縛紐３１，３１を固定しており該縛紐３１，３１が雨除け具３２を巻装した状態で吊上げ保持している。該雨除け具３２は上端３２ａを雨除け具支持部材３０又は外壁面１６の頂上部に固定されビニールや布等軽量であって巻き込み容易な各種の防水材料で構成されてあり図３に示すように雨天時には開放され前記ゴルフバッグ２２や収容ケース２３，２４内等の収容品を降雨から保護する。尚、上述した略Ｌ字状の枠体２９と雨除け具支持部材３０を単一部材で構成してもよい。図中３２ｂは係止紐であって前記雨除け具３２の右端及び左端に取付けられその鈎部が車体１５に係止しゴルフカート兼用自動車９の走行時に於いても該雨除け具３２が捲れることがない。
【００１９】
図４は運転室１０及び乗員室１１及び天井部３４の内部の部分構成を示してあり、該天井３４には車体１５の幅方向と同方向に複数本の係止部材３５，３５が架設している。該係止部材３５，３５は管状、又は円筒状、棒状で形成し金属又は樹脂系の材料で構成され、前記天井３４の面から若干の隙間Ｓを形成してある。この隙間Ｓを利用して、タオル等ゴルフプレイのうえで必要品を係止する。尚、矢印Ａ方向はゴルフカート兼用自動車９の前方、矢印Ｂ方向はその後方を示す。
【００２０】
次に、当該ゴルフカート兼用自動車９の取扱いを説明する。ゴルフプレイに参加する複数人又は多数人でなるプレイヤーはゴルフバッグ４等ゴルフプレイに必要とするプレイ道具等を前述したゴルフカート兼用自動車９の無天井空間１２に積込みゴルフバッグ４等を緊縛支持する等の所定の作業を経て、運転室１０及び乗員室１１に乗り込む。そしてプレイヤーはゴルフカート兼用自動車９を運転し一般道路や高速道路等を走行させてゴルフ場へ行き速やかにそのまま該ゴルフ場のイン又はアウトのコースを走行させながら順番にプレイする。プレイヤーは必要に応じて雨除け具３２を巻装すると共にゴルフプレイ具を取出し、プレイする。
【実施例】
【００２１】
次に本考案に係るゴルフカート兼用自動車９の実施例を図２に基づき説明する。当該ゴルフカート兼用自動車９の最後方部１５ａ，１５ａには中段の支持部材１８、最上段の支持部材１９を架設している。該中段の支持部材１８又は最上段の支持部材１９のいずれか一方又は双方に収容ケース３６及びゴルフプレイ要品収納容器３７を係止する。
該収容ケース３６は吊り紐３６ａ等で例えば最上段の支持部材１９に吊下げられ、水やブラシ等を収納しプレイ具等の汚れを払拭する。該ゴルフプレイ要品収納容器３７は吊り紐３７ａ等で例えば最上段の支持部材１９に吊下げられ、プレイの際、痛めた芝生や土壌を補填し修復するために使用する砂やスコップ等を収納してある。
【産業上の利用可能性】
【００２２】
本考案に係るゴルフカート兼用自動車は、ゴルフ場でプレイする以外に一般道路や高速道路等を走行し他の目的にも利用できその利用範囲は広いものである。
【符号の説明】
【００２３】
１        ゴルフカート本体
２        左側駆動輪
３        載置台
４        ゴルフバッグ
５        操作パネル
６        車体カバー
７        右側駆動輪
８        バッテリカバー
９        ゴルフカート兼用自動車
１０      運転室
１１      乗員室
１２      無天井空間
１３      前方のドア
１４      後方のドア
１５      車体
１５ａ    最後方部
１６      後方外面（外壁面）
１７      下段の支持部材
１８      中段の支持部材
１９      最上段の支持部材
１９ａ    係止金具
１９ｂ    係止金具
２０      略Ｕ字状枠体
２１      ゴルフバッグ収納支持部材
２１ｂ    湾曲部
２２      ゴルフバッグ
２３      雨傘入れ収納ケース
２３ａ    保持具
２４      ゴルフプレイ具収容ケース
２４ａ    保持具
２５      ボールピッカー
２６      ドライバー
２７      縛部材
２８      収容ケース
２９      略Ｌ字状の枠体
２９ａ    ブラケット
３０      雨除け具支持部材
３１      縛紐
３２      雨除け具
３２ａ    上端
３２ｂ    係止紐
３３      支持棒
３４      天井
３５      係止部材
３６      収納ケース
３６ａ    収納ケースの吊り紐
３７      ゴルフプレイ要品収納容器
３７ａ    ゴルフプレイ要品収納容器の吊り紐
Ｓ        天井と係止部材との隙間
【図５】
0003188177.tif 000003
【図１】
0003188177.tif 000004
【図２】
0003188177.tif 000005
【図３】
0003188177.tif 000006
【図４】
0003188177.tif 000007